(57)【要約】【課題】簡単に所望の範囲に発光ダイオードを照射することができる光ビーコンを提供する。【解決手段】ＬＥＤ１４は、車両と光通信を行うため、基板１２上に複数並べて配置されている。プリズム板１５は、ＬＥＤ１４の照射方向を変更するためのものである。プリズム板１５は、ＬＥＤ１４を覆う平板部１５１と、平板部１５１から突出し、傾斜面Ｔが設けられた複数の個別プリズム１５３Ａ〜１５３Ｈと、を有し、複数の個別プリズム１５３Ａ〜１５３Ｈの一つ一つが、一部のＬＥＤ１４の一つ一つに対向するように設けられている。【選択図】図５
2015075810.tif 000002
【特許請求の範囲】
【請求項１】
車両と光通信を行うため、基板上に複数並べて配置された発光ダイオードと、前記発光ダイオードの照射方向を変更する光学部材と、を備えた光ビーコンにおいて、
前記光学部材は、前記発光ダイオードを覆う平板部と、前記平板部から突出し、傾斜面が設けられた複数のプリズムと、を有し、
前記複数のプリズムの一つ一つが、少なくとも一部の前記発光ダイオードの一つ一つに対向する位置に設けられている
ことを特徴とする光ビーコン。
【請求項２】
前記基板及び前記平板部は、鉛直方向に対して斜めに傾斜して配置され、
前記プリズムの傾斜面は、前記平板部の傾斜方向及び水平方向に対して、斜めに傾いた方向に沿って突出するように設けられている
ことを特徴とする請求項１に記載の光ビーコン。
【請求項３】
前記平板部の水平方向中央よりも一端側に配置された前記プリズムの傾斜面は、前記平板部の一端に近づくに従って突出するように設けられ、
前記平板部の水平方向中央よりも他端側に配置された前記プリズムの傾斜面は、前記平板部の他端に近づくに従って突出するように設けられている
ことを特徴とする請求項２に記載の光ビーコン。
【請求項４】
前記基板及び前記平板部の傾斜方向に並んで設けられている複数のプリズムは、当該傾斜面が互いに平行に設けられている
ことを特徴とする請求項３に記載の光ビーコン。
【請求項５】
前記光学部材は、前記発光ダイオードの一部を露出する開口を有する
ことを特徴とする請求項１〜４何れか１項に記載の光ビーコン。
【請求項６】
前記開口に対向する発光ダイオードは、前記複数のプリズムの一つ一つに対向する発光ダイオードよりも照射角が広い
ことを特徴とする請求項５に記載の光ビーコン。
【発明の詳細な説明】
【技術分野】
【０００１】
本発明は、光ビーコンに係り、特に、車両と光通信を行うための光ビーコンに関するものである。
【背景技術】
【０００２】
近年、上述した光ビーコンを用いた交通情報サービスが普及している。光ビーコンは、道路Ｒに設置され、車両と光通信を行うために基板上に複数並べて配置された発光ダイオード（以下ＬＥＤと略記）を備えている。このＬＥＤの照射範囲に車両が進入すると、光ビーコンは車両との光通信を行い、車両に対して交通情報などを送信することができる。
【０００３】
上述したＬＥＤには、通常、当該ＬＥＤが発光する光ビームを集光するためのレンズが一体に設けられており、ＬＥＤが発光する照射光は、ある程度の指向性を有している。このため、ＬＥＤの照射範囲が狭い、という問題があった。
【０００４】
従来、この問題を解決するために、一部のＬＥＤの基板接続用のリード端子を曲げ、ＬＥＤの照射方向を変更して、照射範囲を広げていた。しかしながら、リード端子の曲げ加工は手作業でしか行えず、精度良く行うことは難しい。このため、製品毎に品質のばらつきが生じる恐れがあった。
【０００５】
そこで、ＬＥＤの照射光の向きを変える光学部品を設けた光ビーコンが提案されている（特許文献１）。この光学部品には、中央に矩形状の平板部が設けられ、この平板部を囲むようにプリズム部が設けられている。このプリズム部は、平板部の周縁に沿って一様の傾斜面が設けられているため、所望の範囲にＬＥＤを照射させるように設けるのが難しい、という問題があった。
【先行技術文献】
【特許文献】
【０００６】
【特許文献１】特開２０１３−３０１１２号公報
【発明の概要】
【発明が解決しようとする課題】
【０００７】
そこで、本発明は、簡単に所望の範囲に発光ダイオードを照射することができる光ビーコンを提供することを課題とする。
【課題を解決するための手段】
【０００８】
上述した課題を解決するための請求項１記載の発明は、車両と光通信を行うため、基板上に複数並べて配置された発光ダイオードと、前記発光ダイオードの照射方向を変更する光学部材と、を備えた光ビーコンにおいて、前記光学部材は、前記発光ダイオードを覆う平板部と、前記平板部から突出し、傾斜面が設けられた複数のプリズムと、を有し、前記複数のプリズムの一つ一つが、少なくとも一部の前記発光ダイオードの一つ一つに対向する位置に設けられていることを特徴とする光ビーコンに存する。
【０００９】
請求項２記載の発明は、前記基板及び前記平板部は、鉛直方向に対して斜めに傾斜して配置され、前記プリズムの傾斜面は、前記平板部の傾斜方向及び水平方向に対して、斜めに傾いた方向に沿って突出するように設けられていることを特徴とする請求項１に記載の光ビーコンに存する。
【００１０】
請求項３記載の発明は、前記平板部の水平方向中央よりも一端側に配置された前記プリズムの傾斜面は、前記平板部の一端に近づくに従って突出するように設けられ、前記平板部の水平方向中央よりも他端側に配置された前記プリズムの傾斜面は、前記平板部の他端に近づくに従って突出するように設けられていることを特徴とする請求項２に記載の光ビーコンに存する。
【００１１】
請求項４記載の発明は、前記基板及び前記平板部の傾斜方向に並んで設けられている複数のプリズムは、当該傾斜面が互いに平行に設けられていることを特徴とする請求項３に記載の光ビーコンに存する。
【００１２】
請求項５記載の発明は、前記光学部材は、前記発光ダイオードの一部を露出する開口を有することを特徴とする請求項１〜４何れか１項に記載の光ビーコンに存する。
【００１３】
請求項６に記載の発明は、前記開口に対向する発光ダイオードは、前記複数のプリズムの一つ一つに対向する発光ダイオードよりも照射角が広いことを特徴とする請求項５に記載の光ビーコンに存する。
【発明の効果】
【００１４】
以上説明したように請求項１記載の発明によれば、複数のプリズムの一つ一つが、少なくとも一部の発光ダイオードの一つ一つに対向する位置に設けられている。これにより、発光ダイオード一つ一つの照射方向をプリズムにより調整できるため、簡単に所望の範囲に発光ダイオードを照射することができる。
【００１５】
請求項２記載の発明によれば、プリズムの傾斜面は、平板部の傾斜方向及び水平方向に対して、斜めに傾いた方向に沿って突出するように設けられているので、発光ダイオードの照射範囲を基板及び平板部の傾斜方向及び水平方向の双方に拡大することができる。
【００１６】
請求項３記載の発明によれば、平板部の水平方向中央よりも一端側に配置されたプリズムが、発光ダイオードの光を水平方向の一端に向かうように変更し、平板部の水平方向中央よりも他端側に配置されたプリズムが、発光ダイオードの光を水平方向の他端に向かうように変更するので、効率的に、発光ダイオードの照射範囲を基板及び平板部の水平方向に拡大することができる。
【００１７】
請求項４記載の発明によれば、基板及び平板部の傾斜方向に並んで設けられている複数のプリズムは、傾斜面が互いに平行に設けられているので、より一層効率的に、発光ダイオードの照射範囲を基板及び平板部の水平方向に拡大することができる。
【００１８】
請求項５記載の発明によれば、光学部材は、発光ダイオードの一部を露出する開口を有するので、露出した発光ダイオードからの光の照射方向を変更することなく、しかも減衰もすることなく、開口から出射することができる。また、開口を設けることにより、放熱効果が高まる。
【００１９】
請求項６記載の発明によれば、開口に対向する発光ダイオードは、複数のプリズムの一つ一つに対向する発光ダイオードよりも照射角が広い。これにより、照射方向が変更されない開口に対向する発光ダイオードは、照射角が広く全体を照射している。また、複数のプリズムの一つ一つに対向する発光ダイオードの照射角を狭くして、プリズムによって狙った方向に照射方向が変更できるようにしている。
【図面の簡単な説明】
【００２０】
【図１】道路上に設置された本発明の光ビーコンの一実施形態を示す概略側面図である。
【図２】図１に示す光ビーコンの斜視図である。
【図３】図１に示す光ビーコンの断面図である。
【図４】図１に示す光ビーコンを構成するプリズム板の斜視図である。
【図５】（Ａ）及び（Ｂ）はそれぞれ、図４に示すプリズム板の背面図及び左側面図である。
【図６】（Ａ）〜（Ｄ）はそれぞれ、図４に示すプリズム板の正面図、右側面図、下面図及び平面図である。
【図７】（Ａ）〜（Ｅ）はそれぞれ、図５（Ａ）のＡ−Ａ線、Ｂ−Ｂ線、Ｃ−Ｃ線、Ｄ−Ｄ線及びＥ−Ｅ線断面図である。
【図８】（Ａ）及び（Ｂ）はプリズム板の開口部及びプリズムを通過する光の進行方向を説明するための図である。
【発明を実施するための形態】
【００２１】
以下、本発明の光ビーコンについて図１〜図３を参照して説明する。図１は、道路Ｒ上に設置された本発明の光ビーコン１の一実施形態を示す概略側面図である。図２は、図１に示す光ビーコン１の斜視図である。図３は、図１に示す光ビーコン１の断面図である。なお、図２においては、カバー１１２が省略されている。
【００２２】
図１に示すように、本実施形態の光ビーコン１は、道路Ｒを走行する車両Ｃに搭載された車載機Ｓと光通信を行うものである。図２及び図３に示すように、光ビーコン１は、収容ケース１１と、この収容ケース１１に収容された基板１２、支持台１３、発光ダイオード（以下ＬＥＤ）１４及び光学部材としてのプリズム板１５と、を備えている。
【００２３】
収容ケース１１は、受皿状のケース本体１１１と、ケース本体１１１の開口を覆うカバー１１２と、を備えている。この収容ケース１１は、図１に示すように、道路Ｒ脇に立設された支柱等から道路Ｒを横切るように水平に架設された架設バーＢに固定され、道路Ｒの車線の真上に配置されている。このとき、ケース本体１１１が上側、カバー１１２が下側になるように架設バーＢに固定されている。カバー１１２は、後述するＬＥＤ１４からの光を通す開口が設けられている。
【００２４】
基板１２は、矩形状に設けられている。支持台１３は、基板１２を鉛直方向に対して斜めに配置するように支持するためのものであり、ケース本体１１１に固定されている。この支持台１３は、一対の側壁１３１と、一対の傾斜壁１３２（図２）と、一対の側壁１３１を連結する連結壁１３３と、を備えている。一対の側壁１３１は、互いに平行に設けられ、車幅方向に離間して設けられている。この一対の側壁１３１の鉛直方向下側（以下道路Ｒ側）かつ車両進行方向Ｙｃ後側の端部は斜めに切りかかれている。
【００２５】
一対の傾斜壁１３２は、一対の側壁１３１の斜めに切りかかれた端部からそれぞれ内側に向かって立設して設けられている。この一対の傾斜壁１３２に上記基板１２がネジ止めされている。これにより、基板１２は、図１に示すように、車両進行方向Ｙｃ前側に向かうに従って道路Ｒに近づくように、鉛直方向に対して斜めに傾けて配置されている。連結壁１３３は、一対の側壁１３１の車両進行方向Ｙｃ前側かつ道路Ｒ側の端部を連結している。連結壁１３３は、略水平に設けられていて、図示しない別の基板が搭載される。
【００２６】
ＬＥＤ１４は、基板１２上に複数並べて配置されている。ＬＥＤ１４は、基板１２の傾斜方向Ｙ１１及びこの傾斜方向Ｙ１１に直交する水平方向Ｙ１２にそれぞれ複数並べてマトリクス状に配置されている。なお、本実施形態では、ＬＥＤ１４としては、集光ＬＥＤと、この集光ＬＥＤよりも照射角が広い広角ＬＥＤと、の２種類が基板１２上に実装されている。この集光ＬＥＤと広角ＬＥＤの詳細は、後述する。このＬＥＤ１４の発光によって、車両Ｃに搭載された車載機Ｓに光信号を送信することができる。
【００２７】
プリズム板１５は、上記ＬＥＤ１４の照射方向を変更する光学部材であり、アクリル樹脂等を用いて形成された板状の透過性部材から構成されている。このプリズム板１５について、図４〜図７を参照して説明する。図４は、図１に示す光ビーコン１を構成するプリズム板１５の斜視図である。図５（Ａ）及び（Ｂ）はそれぞれ、図４に示すプリズム板１５の背面図及び左側面図である。図６（Ａ）〜（Ｄ）はそれぞれ、図４に示すプリズム板１５の正面図、右側面図、下面図及び平面図である。図７はそれぞれ、図５（Ａ）のＡ−Ａ線、Ｂ−Ｂ線、Ｃ−Ｃ線、Ｄ−Ｄ線及びＥ−Ｅ線断面図である。
【００２８】
同図に示すように、プリズム板１５は、ＬＥＤ１４を覆う平板部１５１と、平板部１５１の４隅から突出した取付足１５２と、平板部１５１からＬＥＤ１４に向かって突出し、傾斜面Ｔが設けられた複数のプリズム１５３と、を備えている。
【００２９】
平板部１５１は、平面視矩形状に設けられ、ＬＥＤ１４を露出する開口１５１Ａが設けられている。開口１５１Ａは、水平方向Ｙ１２に長尺状に設けられている。この開口１５１Ａに対向するＬＥＤ１４からの光は、プリズム板１５で照射方向が変更されることなく道路Ｒに向けて照射される。
【００３０】
取付足１５２は、平板部１５１の４隅から基板１２に向けて突出し、基板１２にネジ止めされる。これにより、プリズム板１５が基板１２に固定される。このようにプリズム板１５を基板１２に固定すると、平板部１５１が基板１２と間隔を空けて傾向に配置され、基板１２同様に鉛直方向に対して斜めに傾斜して配置される。
【００３１】
プリズム１５３は、複数の個別プリズム１５３Ａ〜１５３Ｈと、複数のライン状プリズム１５３Ｉと、を備えている。
【００３２】
これら複数の個別プリズム１５３Ａ〜１５３Ｈの一つ一つは、一部のＬＥＤ１４の一つ一つに対向する位置に設けられている。また、これら複数の個別プリズム１５３Ａ〜１５３Ｈの傾斜面Ｔは、平板部１５１の傾斜方向Ｙ１１及び水平方向Ｙ１２に対して、斜めに傾いた方向（以下プリズム傾斜方向Ｙ２ａ〜Ｙ２ｈ）に沿って突出するように設けられている。
【００３３】
詳しく説明すると、図５（Ａ）などに示すように、個別プリズム１５３Ａ〜１５３Ｄは、開口１５１Ａよりも傾斜方向Ｙ１１上側に設けられ、傾斜方向Ｙ１１上側に向かうに従って突出する傾斜面Ｔが設けられている。また、個別プリズム１５３Ａ及び１５３Ｂは、水平方向Ｙ１２中央よりも一端側に配置され、個別プリズム１５３Ｃ及び１５３Ｄは、水平方向Ｙ１２中央よりも他端側に配置されている。
【００３４】
個別プリズム１５３Ａ及び１５３Ｂは、傾斜方向Ｙ１１に沿って複数並べて配置され、個別プリズム１５３Ａの列と個別プリズム１５３Ｂの列とが水平方向Ｙ１２に沿って交互に並べて配置されている。本実施形態では、水平方向Ｙ１２の一端から中央に向けて、５個の個別プリズム１５３Ａの列、５個の個別プリズム１５３Ｂの列、５個の個別プリズム１５３Ａの列、５個の個別プリズム１５３Ｂの列、４個の個別プリズム１５３Ａの列の順に配置されている。
【００３５】
個別プリズム１５３Ｃ及び個別プリズム１５３Ｄも同様に、傾斜方向Ｙ１１に沿って複数並べて配置され、個別プリズム１５３Ｃの列と個別プリズム１５３Ｄの列とが水平方向Ｙ１２に沿って交互に並べて配置されている。本実施形態では、水平方向Ｙ１２の他端から中央に向けて、５個の個別プリズム１５３Ｃの列、５個の個別プリズム１５３Ｄの列、５個の個別プリズム１５３Ｃの列、５個の個別プリズム１５３Ｄの列、４個の個別プリズム１５３Ｃの列の順に配置されている。
【００３６】
平板部１５１の水平方向Ｙ１２中央よりも一端側（図面上側）に配置された個別プリズム１５３Ａ及び１５３Ｂの傾斜面Ｔは、平板部１５１の一端に近づくに従って突出するように設けられている。また、個別プリズム１５３Ａのプリズム傾斜方向Ｙ２ａと、個別プリズム１５３Ｂのプリズム傾斜方向Ｙ２ｂと、は異なる。本実施形態では、プリズム傾斜方向Ｙ２ａの方が、プリズム傾斜方向Ｙ２ｂよりも傾斜方向Ｙ１１に対する傾きが小さい。
【００３７】
平板部１５１の水平方向Ｙ１２中央よりも他端側（図面下側）に配置された個別プリズム１５３Ｃ及び１５３Ｄの傾斜面Ｔは、平板部１５１の他端側に近づくに従って突出するように設けられている。また、個別プリズム１５３Ｃのプリズム傾斜方向Ｙ２ｃと、個別プリズム１５３Ｄのプリズム傾斜方向Ｙ２ｄと、は異なる。本実施形態では、プリズム傾斜方向Ｙ２ｃの方が、プリズム傾斜方向Ｙ２ｄよりも傾斜方向Ｙ１１に対する傾きが小さい。
【００３８】
また、複数の個別プリズム１５３Ａはそれぞれ、その傾斜面Ｔが互いに平行に設けられている。複数の個別プリズム１５３Ｂもそれぞれ、その傾斜面Ｔが互いに平行に設けられている。複数の個別プリズム１５３Ｃもそれぞれ、その傾斜面Ｔが互いに平行に設けられている。複数の個別プリズム１５３Ｄもそれぞれ、その傾斜面Ｔが互いに平行に設けられている。
【００３９】
個別プリズム１５３Ｅ〜１５３Ｈは、開口１５１Ａよりも傾斜方向Ｙ１１下側に設けられている。個別プリズム１５３Ｅ及び１５３Ｇは、傾斜方向Ｙ１１下側に向かうに従って突出する傾斜面Ｔが設けられ、個別プリズム１５３Ｆ、１５１Ｈ及び１５１Ｉは、傾斜方向Ｙ１１上側に向かうに従って突出する傾斜面Ｔが設けられている。また、個別プリズム１５３Ｅ及び１５３Ｆは、水平方向Ｙ１２中央よりも一端側（図面上側）に配置され、個別プリズム１５３Ｇ及び１５３Ｈは、水平方向Ｙ１２中央よりも他端側（図面下側）に配置されている。
【００４０】
個別プリズム１５３Ｅ及び１５３Ｆは、傾斜方向Ｙ１１に沿って複数並べて配置され、個別プリズム１５３Ｅの列と個別プリズム１５３Ｆの列とが水平方向Ｙ１２に沿って交互に並べて配置されている。本実施形態では、水平方向Ｙ１２の一端から中央に向けて、２個の個別プリズム１５３Ｅの列、２個の個別プリズム１５３Ｆの列、２個の個別プリズム１５３Ｅの列の順に配置されている。
【００４１】
個別プリズム１５３Ｇ及び１５３Ｈは、傾斜方向Ｙ１１に沿って複数並べて配置され、個別プリズム１５３Ｇの列と個別プリズム１５３Ｈの列とが水平方向Ｙ１２に沿って交互に並べて配置されている。本実施形態では、水平方向Ｙ１２の一端から中央に向けて、２個の個別プリズム１５３Ｇの列、２個の個別プリズム１５３Ｈの列、２個の個別プリズム１５３Ｇの列の順に配置されている。
【００４２】
平板部１５１の水平方向Ｙ１２中央よりも一端側（図面上側）に配置された個別プリズム１５３Ｅ及び１５３Ｆの傾斜面Ｔは、平板部１５１の一端に向かうに従って突出するように設けられている。平板部１５１の水平方向Ｙ１２中央よりも他端側に配置された個別プリズム１５３Ｇ及び１５３Ｈの傾斜面Ｔは、平板部１５１の他端側に向かうに従って突出するように設けられている。
【００４３】
ライン状プリズム１５３Ｉは、開口１５１Ａよりも傾斜方向Ｙ１１下側に設けられ、個別プリズム１５３Ｅ及び１５３Ｆと、個別プリズム１５３Ｇ及び１５３Ｈと、の間に配置されている。ライン状プリズム１５３Ｉは、水平方向Ｙ１２に沿って長尺状に設けられ、４個のＬＥＤ１４に対向する。また、ライン状プリズム１５３Ｉの傾斜面Ｔは、傾斜方向Ｙ１１上側に向かうに従って突出するように設けられ、水平方向Ｙ１２は同じ高さに設けられている。
【００４４】
次に、ＬＥＤ１４について話を戻すと、上述したプリズム板１５の開口１５１Ａ及びライン状プリズム１５３Ｉに対向するＬＥＤ１４としては、広角ＬＥＤを用いる。これに対して、個別プリズム１５３Ａ〜１５Ｈに対向するＬＥＤ１４としては、集光ＬＥＤを用いる。
【００４５】
次に、上述した構成の光ビーコン１の照射範囲について説明する。図８（Ａ）に示すように、開口１５１Ａに対向するＬＥＤ１４から出射された光ＬＬは、照射方向が変更されることなく、そのまま出射される。一方、図８（Ｂ）に示すように、ＬＥＤ１４から出射された光ＬＬのうち上述したプリズム１５３を通る光ＬＬは、プリズム１５３の傾斜面Ｔでプリズム傾斜方向Ｙ２の上側に屈折して出射される。
【００４６】
詳しく説明すると、個別プリズム１５３Ａ及び１５３Ｂに対向するＬＥＤ１４から出射された光ＬＬは、個別プリズム１５３Ａ及び１５３Ｂの傾斜面Ｔで傾斜方向Ｙ１１上側かつ水平方向Ｙ１２の一端に向かって屈折される。また、個別プリズム１５３Ｃ及び１５３Ｄに対向するＬＥＤ１４から出射された光ＬＬは、個別プリズム１５３Ｃ及び１５３Ｄの傾斜面Ｔで傾斜方向Ｙ１１上側かつ水平方向Ｙ１２他端側に向かって屈折される。即ち、この個別プリズム１５３Ａ〜１５３Ｄにより、ＬＥＤ１４の照射範囲を車両進行方向Ｙｃ後ろ側及び車幅方向に拡大することができる。
【００４７】
また、個別プリズム１５３Ｅに対向するＬＥＤ１４から出射された光ＬＬは、個別プリズム１５３Ｅの傾斜面Ｔで傾斜方向Ｙ１１下側かつ水平方向Ｙ１２一端側に向かって屈折される。また、個別プリズム１５３Ｇに対向するＬＥＤ１４から出射された光ＬＬは、個別プリズム１５３Ｆの傾斜面Ｔで傾斜方向Ｙ１１下側かつ水平方向Ｙ１２他端側に屈折される。即ち、この個別プリズム１５３Ｅ及び１５３Ｇにより、ＬＥＤ１４の照射範囲を車両進行方向Ｙｃ前側及び車幅方向に拡大することができる。
【００４８】
また、個別プリズム１５３Ｆに対向するＬＥＤ１４から出射された光ＬＬは、個別プリズム１５３Ｆの傾斜面Ｔで傾斜方向Ｙ１１上側及び水平方向Ｙ１２一端側に屈折される。個別プリズム１５３Ｈに対向するＬＥＤ１４から出射された光ＬＬは、個別プリズム１５３Ｈの傾斜面Ｔで傾斜方向Ｙ１１上側及び水平方向Ｙ１２の他端側に屈折される。即ち、個別プリズム１５３Ｆ及び１５３Ｈは、ＬＥＤ１４からの光を開口１５１Ａに対向するＬＥＤ１４の照射範囲に向けて、その範囲の光度を高めると共に、ＬＥＤ１４の照射範囲を車幅方向に拡大することができる。
【００４９】
また、ライン状プリズム１５３Ｉに対向するＬＥＤ１４から出射された光ＬＬは、ライン状プリズム１５３Ｉの傾斜面Ｔで傾斜方向Ｙ１１上側に向かって屈折される。即ち、ライン状プリズム１５３Ｉは、ＬＥＤ１４からの光を開口１５１Ａに対向するＬＥＤ１４の照射範囲に向けて、その範囲の光度を高めることができる。
【００５０】
上述した実施形態によれば、複数の個別プリズム１５３Ａ〜１５３Ｈの一つ一つが、一部のＬＥＤ１４の一つ一つに対向するように設けられている。これにより、ＬＥＤ１４一つ一つの照射方向を個別プリズム１５３Ａ〜１５３Ｈにより調整できるため、簡単に所望の範囲にＬＥＤ１４を照射することができる。
【００５１】
また、上述した実施形態によれば、個別プリズム１５３Ａ〜１５３Ｈの傾斜面Ｔは、平板部１５１上の傾斜方向Ｙ１１に対して斜めに傾いた方向に沿って突出するように設けられているので、ＬＥＤ１４の照射範囲を水平方向Ｙ１２（＝道路Ｒの車幅方向）に拡大することができる。
【００５２】
また、上述した実施形態によれば、平板部１５１の水平方向Ｙ１２中央よりも一端側に配置された個別プリズム１５３Ａ、１５３Ｂ、１５３Ｅ及び１５３Ｆの傾斜面Ｔは、平板部１５１の一端に近づくに従って突出するように設けられ、平板部１５１の水平方向Ｙ１２中央よりも他端側に配置された個別プリズム１５３Ｃ、１５３Ｄ、１５３Ｇ及び１５３Ｈの傾斜面Ｔは、平板部１５１の他端に近づくに従って突出するように設けられている。これにより、個別プリズム１５３Ａ、１５３Ｂ、１５３Ｅ及び１５３Ｆが、ＬＥＤ１４の光ＬＬを水平方向Ｙ１２の一端に向かうように変更し、個別プリズム１５３Ｃ、１５３Ｄ、１５３Ｇ及び１５３Ｈが、ＬＥＤ１４の光ＬＬを水平方向Ｙ１２の他端に向かうように変更するので、効率的に、ＬＥＤ１４の照射範囲を水平方向Ｙ１２に拡大することができる。
【００５３】
また、上述した実施形態によれば、傾斜方向Ｙ１１に並んで設けられている個別プリズム１５３Ａ〜１５３Ｈはそれぞれ、傾斜面Ｔが互いに平行に設けられているので、より一層効率的に、ＬＥＤ１４の照射範囲を水平方向Ｙ１２に拡大することができる。
【００５４】
また、上述した実施形態によれば、プリズム板１５は、ＬＥＤ１４の一部を露出する開口１５１Ａを有するので、露出したＬＥＤ１４からの光の照射方向を変更することなく、しかも減衰もすることなく、開口１５１Ａから出射することができる。また、開口１５１Ａを設けることにより、放熱効果が高まる。
【００５５】
この放熱効果について確認するため、本発明者は、開口１５１Ａがある光ビーコン１、開口１５１Ａが本発明品Ａの２／３の光ビーコン１、開口１５１Ａがない光ビーコン１をそれぞれについて、外気（光ビーコン１の周囲）が５０度で中央のＬＥＤ１４付近の温度を測定した。結果を下記に示す。
開口１５１Ａあり：８１．２度
開口１５１Ａ２／３：８２．２度
開口１５１Ａなし：８２．８度
【００５６】
上記結果からも明らかなように、開口１５１Ａを設けることにより、放熱効果が高まり、開口１５１Ａなしに比べて、約２度下がることが分かった。
【００５７】
また、上述した実施形態では、開口１５１Ａに対向するＬＥＤ１４として用いられる広角ＬＥＤは、複数の個別プリズム１５３Ａ〜１５３Ｈの一つ一つに対向するＬＥＤ１４として用いられる集光ＬＥＤよりも照射角が広い。これにより、照射方向が変更されない開口１５１Ａに対向するＬＥＤ１４は、照射角が広く全体を照射している。また、複数の個別プリズム１５３Ａ〜１５３Ｈの一つ一つに対向するＬＥＤ１４の照射角を狭くして、個別プリズム１５３Ａ〜１５３Ｈによって狙った方向に照射方向が変更できるようにしている。
【００５８】
なお、上述した実施形態では、平板部１５１に開口１５１Ａを設けていたが、これに限ったものではない。開口１５１Ａを設けなくてもよい。
【００５９】
また、上述した実施形態によれば、傾斜方向Ｙ１１に並んでいる複数の個別プリズム１５３Ａは、傾斜面Ｔが互いに平行であった。傾斜方向Ｙ１１に並んでいる複数の個別プリズム１５３Ｂ〜１５３Ｈについても同様に傾斜面Ｔが互いに平行あったが、これに限ったものではない。傾斜方向Ｙ１１に並んでいる複数の個別プリズム１５３Ａは、その傾斜面Ｔの傾斜角やプリズム傾斜方向Ｙ２ａが互いに異なっていてもよい。傾斜方向Ｙ１１に並んでいる複数の個別プリズム１５３Ｂ〜１５３Ｈについても同様に傾斜面Ｔの傾斜角やプリズム傾斜方向Ｙ２ｂ〜Ｙ２ｈが互いに異なっていてもよい。
【００６０】
また、上述した実施形態によれば、平板部１５１の水平方向Ｙ１２中央よりも一端側に配置された個別プリズム１５３Ａ、１５３Ｂ、１５３Ｅ及び１５３Ｆの傾斜面Ｔは、平板部１５１の一端に近づくに従って突出するように設けられ、平板部１５１の水平方向Ｙ１２中央よりも他端側に配置された個別プリズム１５３Ｃ、１５３Ｄ、１５３Ｇ及び１５３Ｈの傾斜面Ｔは、平板部１５１の他端に近づくに従って突出するように設けられていたが、これに限ったものではない。各個別プリズム１５３Ａ〜１５３Ｈの傾斜面Ｔは、所望の照射範囲となるように設けられていればよい。
【００６１】
また、上述した実施形態によれば、各プリズム１５３は平板部１５１からＬＥＤ１４に向かって突出していたが、これに限ったものではない。プリズム１５３を、ＬＥＤ１４とは逆側（道路Ｒ側）に向かって突出するように設けてもよい。
【００６２】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００６３】
１  光ビーコン
１２  基板
１４  発光ダイオード（ＬＥＤ）
１５  プリズム板（光学部材）
１５１  平板部
１５１Ａ  開口
１５３Ａ〜１５３Ｈ  個別プリズム（プリズム）
Ｔ  傾斜面
Ｙ１１  傾斜方向
【図１】
2015075810.tif 000003
【図２】
2015075810.tif 000004
【図３】
2015075810.tif 000005
【図４】
2015075810.tif 000006
【図５】
2015075810.tif 000007
【図６】
2015075810.tif 000008
【図７】
2015075810.tif 000009
【図８】
2015075810.tif 000010